(57)【要約】【課題】観察視野の前方と後方の両方で収差が良好に補正された像の観察、あるいは画像を得ることが可能な観察光学系を提供する。【解決手段】最も物体側に配置された、接合レンズからなる負レンズ群１と、負レンズ群１の像側に配置され、像側に向けた反射面２ａを持つ環状反射鏡２と、負レンズ群１及び環状反射鏡２の像側に配置された結像レンズ群３と、からなる。負レンズ群１と結像レンズ群３とで前方観察光学系を構成すると共に環状反射鏡２と結像レンズ群３とで後方観察光学系を構成し、且つ、結像面１０上における後方観察光学系による像と前方観察光学系による像とが異なる位置に結像する。負レンズ１と環状反射鏡２とは接合されている。【選択図】図１
2008257121.tif 000002
【特許請求の範囲】
【請求項１】
最も物体側に配置された、接合レンズからなる負レンズ群と、
前記負レンズ群の像側に配置され、像側に向けた反射面を持つ環状反射鏡と、
前記負レンズ群及び前記環状反射鏡の像側に配置された結像レンズ群と、
からなることを特徴とする観察光学系。
【請求項２】
前記負レンズ群と前記結像レンズ群とで前方観察光学系を構成すると共に前記環状反射鏡と前記結像レンズ群とで後方観察光学系を構成し、且つ、結像面上における前記後方観察光学系による像と前記前方観察光学系による像とが異なる位置に結像することを特徴とする請求項１に記載の観察光学系。
【請求項３】
前記負レンズ群と前記環状反射鏡とが接合されていることを特徴とする請求項１又は２に記載の観察光学系。
【請求項４】
前記負レンズ群及び前記環状反射鏡の側方に、前記負レンズ群及び前記環状反射鏡のいずれに対しても死角となる領域を有し、該死角となる領域に照明手段を配置したことを特徴とする請求項１〜３のいずれかに記載の観察光学系。
【請求項５】
前記前方観察光学系と前記後方観察光学系とが、互いに共通の開口絞りを有することを特徴とする請求項２、請求項２に従属する請求項３又は４のいずれかに記載の観察光学系。
【請求項６】
内視鏡に用いることを特徴とする請求項１〜５のいずれかに記載の観察光学系。
【発明の詳細な説明】
【技術分野】
【０００１】
本発明は、観察光学系に関し、特に通常の前方観察と同時に後方観察も行うことが可能な観察光学系に関する。
【背景技術】
【０００２】
従来、前方観察と後方観察とが同時に可能な観察光学系としては、例えば、次の特許文献１に記載の光学系が開示されている。
【特許文献１】特開２０００−３２２５６４号公報
【０００３】
特許文献１の光学系は、全方位視覚センサに関するものである。この光学系は、広角レンズと曲面状反射鏡とで構成されている。広角レンズは、水平及び上方向の視覚情報を撮像するためのレンズである。曲面状反射鏡は、広角レンズの下部（撮像側）に設けられ、水平及び下方向の視覚情報を撮像するために用いられる。そして、広角レンズと曲面状反射鏡のそれぞれを介した視覚情報を、共通のカメラを用いて撮像する。
【発明の開示】
【発明が解決しようとする課題】
【０００４】
しかし、特許文献１に記載の光学系では、曲面状反射鏡とカメラとの間には光学系が配置されていない。ここで、水平及び下方向からの入射光は、曲面状反射鏡によって反射されるところ、曲面状反射鏡の反射面が曲面であるため、反射された入射光は、ディストーションや非点収差を含むことになる。しかるに、上述のように、曲面状反射鏡とカメラとの間には光学系を配置していないため、発生したディストーションや非点収差を補正することが困難である。
【０００５】
本発明は、上記従来の問題点に鑑みてなされたものであり、観察視野の前方と後方の両方で収差が良好に補正された像の観察、あるいは画像を得ることが可能な観察光学系を提供することを目的としている。
【課題を解決するための手段】
【０００６】
上記目的を達成するため、本発明による観察光学系は、最も物体側に配置された、接合レンズからなる負レンズ群と、前記負レンズ群の像側に配置され、像側に向けた反射面を持つ環状反射鏡と、前記負レンズ群及び前記環状反射鏡の像側に配置された結像レンズ群と、からなることを特徴としている。
【０００７】
また、本発明の観察光学系においては、前記負レンズ群と前記結像レンズ群とで前方観察光学系を構成すると共に前記環状反射鏡と前記結像レンズ群とで後方観察光学系を構成し、且つ、結像面上における前記後方観察光学系による像と前記前方観察光学系による像とが異なる位置に結像するのが好ましい。
【０００８】
また、本発明の観察光学系においては、前記負レンズ群と前記環状反射鏡とが接合されているのが好ましい。
【０００９】
また、本発明の観察光学系においては、前記負レンズ群及び前記環状反射鏡の側方に、前記負レンズ群及び前記環状反射鏡のいずれに対しても死角となる領域を有し、該死角となる領域に照明手段を配置するのが好ましい。
【００１０】
また、本発明の観察光学系においては、前記前方観察光学系と前記後方観察光学系とが、互いに共通の開口絞りを有するのが好ましい。
【００１１】
また、本発明の観察光学系は、内視鏡に用いるのが好ましい。
【発明の効果】
【００１２】
本発明の観察光学系によれば、従来の前方観察と後方観察における双方の収差を同時に良好に補正することができる。その結果、観察視野の前方と後方の両方で、収差が良好に補正された像の観察、あるいは画像を得ることが可能な観察光学系が得られる。
【発明を実施するための最良の形態】
【００１３】
図１は本発明の一実施形態にかかる観察光学系の概略構成を示す説明図、図２は図１の観察光学系を備えた内視鏡システムの全体図である。
本実施形態の観察光学系は、図２に示す内視鏡の先端部に設けられた、内視鏡観察光学系であり、図１に示すように、物体側から、負レンズ群１と、環状反射鏡２と、結像レンズ群３を有して構成されている。なお、図１中、１０は結像面であって本実施形態では撮像素子の撮像面が配置される。
負レンズ群１は、色消しの効果を有する接合レンズからなり、最も物体側に配置され、前方視野からの入射光を透過して、発散光を結像レンズ群３側へ出射する。
接合レンズは、物体側から順に、両凸レンズ１１と、レンズ１２とを接合して構成されている。レンズ１２は、物体側が凹面で最も像側における有効径部分が凹面で有効径より大きい径の部分が凸面に形成されている。また、接合レンズは、両凸レンズ１１とレンズ１２とが接合することで互いの倍率色収差を打ち消している。
環状反射鏡２は、その内径が負レンズ群１の最も像側の面の有効径（即ち、出射側のレンズ面１２ａの有効径）よりも大きくなるように形成され、反射面２ａを有して構成されている。また、環状反射鏡２は、反射面２ａが像側を向くようにして、負レンズ群１の像側に配置されている。そして、環状反射鏡２は、後方視野から反射面２ａに入射した光を反射面２ａで結像レンズ群３側へ向けて反射する。
なお、反射面２ａは、自由曲面であってもよい。
また、本実施形態の観察光学系では、負レンズ群１のレンズ面１２ａの外側の面１２ｂと環状反射鏡２の反射面２ａの反対側の面とが、接合されている。
また、結像レンズ群３は、負レンズ群１を通過した光と反射面２ａで反射された光の両方を通過させる外径（有効径）を有している。
結像レンズ群３は、負レンズ群１を出射した前方視野からの光を結像面１０の中央部１０ａへ結像するとともに、環状反射鏡２の反射面２ａで反射した後方視野からの光を結像面１０の周辺部１０ｂへ結像するように構成されている。このようにして、本実施形態の観察光学系は、負レンズ群１と結像レンズ群３とで前方観察光学系が構成されると共に環状反射鏡２と結像レンズ群３とで後方観察光学系が構成されている。
また、結像レンズ群３は、前方観察光学系と後方観察光学系とに共通の開口絞り３ａを有している。
【００１４】
このように構成された本実施形態の観察光学系によれば、前方視野からの光は、負レンズ群１に入射し、レンズ面１２ａを出射した光が結像レンズ群３に入射し、結像レンズ群３を介して結像面１０の中央部１０ａに結像される。また、それと同時に、後方視野からの光は、環状反射鏡２の反射面２ａに入射し反射面２ａで反射されて、結像レンズ群３を介して結像面１０の周辺部１０ｂに結像される。
これにより、前方視野と後方視野を同時に観察することができる。
【００１５】
以上説明したように、本実施形態の観察光学系は、前方観察光学系と後方観察光学系を備えている。そのため、例えば、大腸内視鏡観察の分野においては、いわゆるひだうら部分の観察が行える。すなわち、ひだうら部分の病変部の見落としを少なくすることができる。特に、近年は、ハイビジョン画質やＮＢＩ（特殊波長観察）の進歩により早期癌を発見することができるようになっている。このような技術との組み合わせにより、ひだうら部分の病変（早期癌）の発見をすることが容易になる。
【００１６】
また、本実施形態の観察光学系によれば、前方視野の観察において、結像レンズ群３より物体側では、光は負レンズ群１のみを通過する。一方、後方視野の観察において、結像レンズ群３より物体側では、光は、環状反射鏡２のみを反射し、他の光学系を通過しない。ここで負レンズ群１を接合レンズで構成したため、負レンズ群１を通過した光は倍率色収差が補正される。一方、環状反射鏡２は、反射面であるため、環状反射鏡２で反射された光には倍率色収差が発生しない。このように構成することで、負レンズ群１を出射する光に生じる倍率色収差を、環状反射鏡２により反射された光の倍率色収差と、同程度にすることができる。そして、結像レンズ群３自体の倍率色収差を良好に補正することで、前方観察と後方観察のいずれにおいても、倍率色収差を良好に補正することができる。
【００１７】
さらに、本実施形態の観察光学系によれば、環状反射鏡２により反射された光は、結像レンズ群３を通過する。ここで、環状反射鏡２は、後方視野の視野領域を十分に確保するために、また、所望の倍率を備えるために、曲面形状を有している。そうすると、環状反射鏡２で反射された光は、ディストーションや非点収差を含むことになる。しかしながら、環状反射鏡２により反射された光は、結像レンズ群３を通過するため、発生した収差を結像レンズ群３によって良好に補正することができる。
【００１８】
このため、本実施形態の観察光学系によれば、視野の前方と後方の観察において、同時に良好な像の観察、あるいは、画像を得ることが可能となる。そのため、例えば従来の内視鏡観察、特に大腸内視鏡観察に用いた場合において、ひだうら部分の病変部の見落としを大幅に減少させることができる。
【００１９】
また、本実施形態の観察光学系では、負レンズ群１と環状反射鏡２とを接合している。負レンズ群１と環状反射鏡２は、基本的に分離して配置しても構わない。ただし、環状反射鏡２が負レンズ群１から離れるにしたがって、環状反射鏡２が結像レンズ群３側に近づく。その場合、環状反射鏡２からの反射光を短い距離で結像レンズ群３に入射させることになるので、諸収差が悪化しやすくなる。これを避けるために、結像レンズ群３を環状反射鏡２から離そうとすると、負レンズ群１と結像レンズ群３の間の距離が長くなる。この場合、負レンズ群１から射出する光束が広がるので、光学系が大きくなる。
以上のようなことから、負レンズ群１と環状反射鏡２とを接合するのが好ましい。このようにすれば、負レンズ群１から発散する光束の広がりを抑えることができる。これにより、負レンズ群１の像側に配置する環状反射鏡２の径を小型化することができる。また、結像レンズ群３の外径も小型化できる。その結果、観察光学系全体の径を小型化することができる。
【００２０】
さらに、本実施形態の観察光学系では、前方の観察範囲と後方の観察範囲の間に、死角となる領域を設けている。負レンズ群１、環状反射鏡２及び結像レンズ群３は、このような死角が形成されるように設計されている。この死角領域は、例えば、光軸に対して垂直な方向であって、負レンズ群１及び環状反射鏡２の側方に形成することができる。そして、この死角領域に、照明光源を配置することが好ましい。照明光源は、前方観察用と後方観察用に、別個に設けても良い。あるいは、前方観察用と後方観察用を兼用する光源を設けても良い。このようにすれば、観察装置全体の大型化を抑えることができる。特に内視鏡などの観察装置においては、大型化を極力抑えることの効果は顕著である。
【００２１】
また、本実施形態の観察光学系によれば、結像レンズ群３が、前方観察光学系と後方観察光学系とに共通の開口絞り３ａを有している。そのため、前方観察と後方観察の光量調整のための部材を減らすことができるとともに、観察光学光学系全体をより小型化することができる。
【００２２】
また、本実施形態の観察光学系において環状反射鏡２の反射面２ａを曲率を設けた凹面で構成し、所望の曲率を設けることで、観察倍率を所望の倍率にすることができ、前方観察像と同じ倍率で後方観察像を観察することが可能となる。
さらに、その場合、環状反射鏡２の反射面２ａを自由曲面で構成すれば、環状反射鏡２の肉厚をより薄くすることができ、観察光学系全体をより小型化することができる。
【００２３】
なお、本実施形態では、通常の内視鏡観察光学系の例を用いて説明したが、本発明の観察光学系はカプセル内視鏡においても適用可能である。また、本発明の観察光学系は、内視鏡観察光学系に限定されるものではなく、内視鏡観察以外の他の用途に用いられる観察光学系にも適用可能である。
【産業上の利用可能性】
【００２４】
本発明の観察光学系は、特に大腸内視鏡観察など、視野の前方及び後方を同時に高精度な観察をすることが必要とされる分野において有用である。
【図面の簡単な説明】
【００２５】
【図１】本発明の一実施形態にかかる観察光学系の概略構成を示す説明図である。
【図２】図１の観察光学系を備えた内視鏡装置の全体図である。
【符号の説明】
【００２６】
１          負レンズ群
１１        両凸レンズ
１２        物体側が凹面で像側における有効径部分が凹面で有効径より大きい径の部分が凸面に形成されたレンズ
１２ａ      出射側のレンズ面
１２ｂ      レンズ面１２ａの外側の面
２          環状反射鏡
２ａ        反射面
３          結像レンズ群
３ａ        開口絞り
１０        結像面
１０ａ      中央部
１０ｂ      周辺部
【図１】
2008257121.tif 000003
【図２】
2008257121.tif 000004